(57)【要約】【課題】  調律に関するパラメータをアナログ指針式メータで表示可能な調律器を提供する。【解決手段】  入力された音のセント偏差を抽出してアナログ指針式メータで表示する調律装置において、調律するために設定が必要な情報を入力するための設定部と、前記設定部より入力された情報をアナログ指針式メータを動作させるためのデータに変換するための変換部と、前記変換部にて変換されたデータを基にアナログ指針式メータを動作させるためのメータ駆動部を具備し、ユーザーが設定した値をアナログ指針式メータで表示する。【選択図】  図２
2007219220.tif 000002
【特許請求の範囲】
【請求項１】
入力された音のセント偏差を抽出してアナログ指針式メータで表示する調律装置において、調律するために設定が必要な情報を入力するための設定部と、前記設定部より入力された情報をアナログ指針式メータを動作させるためのデータに変換するための変換部と、前記変換部にて変換されたデータを基にアナログ指針式メータを動作させるためのメータ駆動部を具備し、ユーザーが設定した値をアナログ指針式メータで表示させることを特徴とする調律装置。
【請求項２】
調律したい音を基準音として発音する発音部を具備し、ユーザーが設定した発音する音の情報をアナログ指針式メータで表示させることを特徴とする請求項１に記載の調律装置。
【請求項３】
前記設定部で設定される値はオクターブであることを特徴とする請求項１または請求項２記載の調律装置。
【請求項４】
前記設定部で設定される値は音名であることを特徴とする請求項１または請求項２記載の調律装置。
【請求項５】
前記設定部で設定される値はオクターブと音名であることを特徴とする請求項１または請求項２記載の調律装置。
【請求項６】
前記設定部で設定される値は基準ピッチであることを特徴とする請求項１または請求項２記載の調律装置。
【請求項７】
入力された音のセント偏差を抽出してアナログ指針式メータで表示する調律装置において、
調律するために設定が必要な情報を入力するための設定部と、
前記設置部が入力を受けた情報に基づいて、設定値を決定する決定部と、
調律する楽音の入力を受けてセント偏差を抽出するセント偏差抽出部と、
前記決定部によって決定した設定値もしくは前記セント偏差部で抽出したセント偏差を、アナログ指針式メータを動作させるためのデータに変換するための変換部と、
前記変換部にて変換されたデータを基にアナログ指針式メータを動作させるためのメータ駆動部とを具備し、
前記変換部は、通常、前記セント抽出部から送出されるセント偏差をデータ変換して前記メータ駆動部へ送出し、前記決定部から情報を取得した場合に、前記設定部からの情報をデータ変換して前記メータ駆動部に送出する、調律装置。
【請求項８】
前記変換部は、前記決定部からの情報の取得が終了後、所定時間経過後に、前記セント抽出部から送出されるセント偏差をデータ変換して前記メータ駆動部へ送出する動作に切り替わる、請求項６に記載の調律装置。
【請求項９】
前記決定部は、前記設定部が入力を受けた情報に基づいて、オクターブおよび／もしくは音名を決定する、請求項７または８に記載の調律装置。
【請求項１０】
前記決定部は、前記設定部が入力を受けた情報に基づいて基準ピッチを決定する、請求項７または８に記載の調律装置。
【発明の詳細な説明】
【技術分野】
【０００１】
本発明は、ユーザーの設定に基づき、入力された音のセント偏差をアナログ指針式メータに表示する調律装置に関するものである。
【背景技術】
【０００２】
従来のアナログ指針式調律装置では、アナログ指針式メータは入力された音のセント偏差を表示する時に使用されていた。
【特許文献１】特開２００４−１４５１１３号公報
【発明の開示】
【発明が解決しようとする課題】
【０００３】
ユーザーが目的に応じて、基準ピッチやオクターブなどの調律するためのパラメータを設定・変更したり、基準音を発音させたりすることで調律を行う場合には、ピッチや音名、オクターブをそれぞれ表示させるために発光ダイオードやＬＣＤなどの表示手段を別途請けなければならなかった。そこで本発明の目的は、アナログ指針式の調律装置において、調律ピッチ設定時など、入力音のセント偏差を表示していないときにもアナログ指針式メータを用いて設定値の一部あるいは全部を表示させることにある。
【課題を解決するための手段】
【０００４】
上記の課題を達成するために、本発明の調律装置では、入力された音のセント偏差を抽出してアナログ指針式メータで表示する調律装置において、調律するために設定が必要な情報を入力するための設定部と、前記設定部より入力された情報をアナログ指針式メータを動作させるためのデータに変換するための変換部と、前記変換部にて変換されたデータを基にアナログ指針式メータを動作させるためのメータ駆動部を具備し、ユーザーが設定した値をアナログ指針式メータで表示させることを可能にした。
【０００５】
また、本発明の調律装置では、調律したい音を基準音として発音する発音部を具備し、ユーザーが設定した発音する音の情報をアナログ指針式メータで表示させることも可能となる。
【０００６】
また、本発明の調律装置は、調律するために設定が必要な情報を入力するための設定部と、前記設置部が入力を受けた情報に基づいて、設定値を決定する決定部と、調律する楽音の入力を受けてセント偏差を抽出するセント偏差抽出部と、前記決定部によって決定した設定値もしくは前記セント偏差部で抽出したセント偏差を、アナログ指針式メータを動作させるためのデータに変換するための変換部と、前記変換部にて変換されたデータを基にアナログ指針式メータを動作させるためのメータ駆動部とを具備し、前記変換部は、通常、前記セント抽出部から送出されるセント偏差をデータ変換して前記メータ駆動部へ送出し、前記決定部から情報を取得した場合に、前記設定部からの情報をデータ変換して前記メータ駆動部に送出することとした。
【０００７】
この際、前記変換部は、前記決定部からの情報の取得が終了後、所定時間経過後に、前記セント抽出部から送出されるセント偏差をデータ変換して前記メータ駆動部へ送出する動作に切り替わることとした。
【０００８】
これにより、通常、セント偏差を表示するモードである際に、音名・オクターブ設定スイッチを操作することで、その間（および操作終了後一定時間）、同一メータを使用して音名、オクターブを表示することが可能である。
【０００９】
なお、前記設定部では基準ピッチ、音名、オクターブを設定でき、その値の一部あるいは全部をアナログ指針式メータで表示させることが可能である。
【発明の効果】
【００１０】
以上説明したように本発明は、アナログ指針式メータを用いた調律装置において、入力音に対するセント偏差を表示する以外の、調律パラメータ設定時および発音時にも、メータを活用してパラメータの一部もしくは全部を表示させることを可能とした。
【発明を実施するための最良の形態】
【００１１】
以下にこの発明の実施形態を図面に基づいて説明する。
【００１２】
図１は、本発明に関わる調律装置の実施形態の一例を示すブロック構成図である。まず、調律に必要なパラメータの設定時について説明する。
【００１３】
パラメータ設定部１で、調律に関わる任意のパラメータ設定値を入力すると、マイコン２内の調整値決定部３にて入力された設定値に基づく調律結果の調整値を決定し、その値をメモリ４に格納する。この調整値をメータで表示するため、駆動データ変換部５にて、メータの指針を任意の位置まで駆動するための駆動データに変換する。こうして求められたデータを基に、メータ駆動部６でメータの指針を任意の位置まで動かし、メータ上のメモリなどで設定値を表示する。同時に基準音の発音を行う場合は、調整値決定部３にて求められた調整値に基づき発音部７で基準音の発音を行う。
【００１４】
尚、本発明の請求の範囲における設定部は、パラメータ設定部１に相当する。変換部が駆動データ変換部５に相当する。決定部が調整値決定部３に相当する。
【００１５】
次に、入力音のセント偏差をメータで表示する場合について説明する。楽音信号８が入力されるとセント偏差抽出部９にてセント偏差を求め、さらに調律のためのパラメータ設定時に設定した値をメモリ４から読み出して補正を行い、駆動データ変換部５へとデータを送る。そして設定パラメータ表示時と同じようにメータの駆動データに変換し、メータ駆動部６にてメータの指針を動かしてセント偏差を表示する。
【実施例１】
【００１６】
図２は本発明に関わる調律装置の実施形態の一例の正面図である。本体ケース１０には、電源／モード切替スイッチ１１、メータ１２、音名・オクターブ設定スイッチ１３、ＬＣＤ１４、スピーカ１５、マイク１６を配置する。
【００１７】
まず、入力音の設定を行う電源／モード切替スイッチ１１で入力音のセント偏差を表示するモードにしたときの場合を説明する。
【００１８】
調律したい音名・オクターブを設定するため、音名・オクターブ設定スイッチ１３を押す。するとＣからＢまで設定音が半音ずつアップしていき、一オクターブ分表示するとオクターブが一つアップする。例えばオクターブ３のＢ音のときに音名・オクターブスイッチ１３を押すとオクターブ４のＣ音に切り替わる。この設定値は、音名についてはＬＣＤ１４にて、オクターブについてはメータ１２の指針がスケール板上のオクターブ表示スケール上を動くことで表示される。こうして音名・オクターブを設定し一定時間が経過すると、オクターブを表示していたメータ１２の指針が０に戻り、入力音のセント偏差を表示する状態となる。この状態のときに楽音などの音をマイク１６から入力すると、今度はメータ１２の指針がスケール板上の線と偏差表示スケール上を動き、セント偏差の表示を行う。
【００１９】
このように、通常、セント偏差を表示するモードである際に、音名・オクターブ設定スイッチを操作することで、その間（および操作終了後一定時間）、同一メータを使用して音名、オクターブを表示することができる。
【００２０】
次に、入力音の設定を行う電源／モード切替スイッチ１１で調律の基準とするための基準音を発音するモードにしたときの場合を説明する。
【００２１】
このモードでは設定された音名、オクターブがそれぞれＬＣＤ１４、メータ１２のオクターブ表示スケールにて表示され、かつスピーカ１５から発音する。発音させたい音を変更する場合は、先ほどと同様に音名・オクターブ設定スイッチ１３を押すごとに音名、オクターブそれぞれの設定値が変わり、それに伴いＬＣＤ１４およびメータ１２の表示が変わっていく。また同時に設定値に応じた基準音がスピーカ１５より発音される。
【００２２】
このように本発明のアナログ指針式メータを用いた調律装置は、入力音に対するセント偏差を表示する以外の、調律パラメータ設定時および発音時にも、メータを活用してパラメータを表示させることを可能とした。
【００２３】
また、実施例１ではオクターブの表示のみをメータで表示したが、代わりに音名をスケール板に一列に並べて音名表示に使用してもよい。また、例えば所定のオクターブ分の音名を一列に並べれば、所定のオクターブ分の音名とオクターブを同時に表示することが可能である。さらに、基準ピッチを設定できるような手段を別途も設ければ、スケール板に基準ピッチのスケールも増やして基準ピッチ表示も兼用させることが可能である。
【図面の簡単な説明】
【００２４】
【図１】本発明を用いた調律装置の実施形態の一例を表すブロック図である。
【図２】本発明をもちいた調律装置の実施形態の一例を表す外観図である。
【符号の説明】
【００２５】
１     パラメータ設定部
２     マイコン
３     調整値決定部
４     メモリ
５     駆動データ変換部
６     メータ駆動部
７     発音部
８     楽音信号
９     セント偏差抽出部
１０   本体ケース
１１   電源／モード切替スイッチ
１２   メータ
１３   音名・オクターブ設定スイッチ
１４   ＬＣＤ
１５   スピーカ
１６   マイク
【図１】
2007219220.tif 000003
【図２】
2007219220.tif 000004